(57)【要約】【課題】  作業者の熟練度によることなく、施工現場において、信頼性の高い簡易な接続作業のみで樹脂管とヘッダーおよび水まわり設備機器へ接続することができ、配管の高い品質を確保する。【解決手段】  樹脂管１の両端部には、あらかじめ、継手部材３が水密的に装着されるとともに、各継手部材３には接続部材２の嵌合凸部２２が水密的に結合されてある。接続部材２は互いに嵌合可能な雌雄一対の構造を備えており、他方の嵌合凹部は、ヘッダーの受口および設備機器の配管接続口に接続される。そして、樹脂管１は、接続部材２の嵌合凸部２２および継手部材３を接続した状態で施工現場に搬入され、それぞれヘッダーの受口および設備機器の配管接続口に接続されることによって、互いに水密的に接続可能となっている。【選択図】  図１
2007270875.tif 000002
【特許請求の範囲】
【請求項１】
ヘッダーに設けられた継手接続用の受口と、水まわり設備機器の配管接続口とを、継手部材を結合させた樹脂管により接続するヘッダー配管接続構造であって、
ヘッダーの受口および設備機器の配管接続口には、水密的に結合可能でありかつ雌雄一対となる構造を備えた接続部材の一方が装着され、
所定長さの樹脂管の両端部には、あらかじめ、継手部材が水密的に装着されるとともに、各継手部材には前記接続部材の他方がそれぞれ水密的に結合されてあり、
接続部材の一方を備えたヘッダーの受口および設備機器の配管接続口に、接続部材の他方を備えた樹脂管の両端部がそれぞれ接続されることによって、互いに水密的に接続可能となっていることを特徴とするヘッダー配管接続構造。
【請求項２】
接続部材は、一方が外周面に環状のフランジを有する嵌合凹部とされ、他方が外周面に環状のフランジを有して前記嵌合凹部に嵌挿される嵌合凸部とされており、
この嵌合凸部の外周面には、シール溝が形成されるとともに、このシール溝にＯリングが装着されて、嵌合凹部と嵌合凸部との間を水密的に封止可能に形成され、
嵌合凹部に嵌合凸部を嵌挿してフランジ同士を突き合わせ、これらのフランジに金属板ばね材を屈曲させて形成されたクリップ部材を嵌着させて両者が一体に結合可能となされたことを特徴とする請求項１に記載のヘッダー配管接続構造。
【請求項３】
継手部材は、樹脂管端部に装着されて、締付手段によって樹脂管端部に一体に緊結される継手本体を有し、この継手本体は樹脂管の内周面に密接状態で嵌挿される円筒状のインコアを備え、このインコアと樹脂管端部とが前記締付手段によって結合されることを特徴とする請求項１または請求項２に記載のヘッダー配管接続構造。
【請求項４】
前記継手部材の締付手段は、カシメ止めであることを特徴とする請求項３に記載のヘッダー配管接続構造。
【請求項５】
前記継手部材の締付手段は、継手本体の外周面に形成された雄ねじ部と、樹脂管端部に外装された袋ナットとの螺合によることを特徴とする請求項３に記載のヘッダー配管接続構造。
【請求項６】
前記継手部材の締付手段は、微少寸法だけ拡径させるとともにインコアが嵌挿された樹脂管端部の外周面に圧入密着される円筒状のスライドスリーブの圧締によることを特徴とする請求項３に記載のヘッダー配管接続構造。
【請求項７】
ヘッダーに設けられた継手接続用の受口と、水まわり設備機器の配管接続口とを、継手部材を結合させた樹脂管を用いて接続するヘッダー配管接続方法であって、
ヘッダーの受口および設備機器の配管接続口には、前記継手部材に対して水密的に結合可能でありかつ雌雄一対となる構造を備えた接続部材の一方を装着し、
所定の配管長さを有する樹脂管の両端部に、あらかじめ、継手部材を水密的に装着するとともに、接続部材の他方を各継手部材に水密的に結合して施工現場に搬入し、
接続部材の一方を備えたヘッダーの受口および設備機器の配管接続口に、接続部材の他方を備えた樹脂管の両端部をそれぞれ接続することにより、互いに水密的に接続することを特徴とするヘッダー配管接続方法。
【発明の詳細な説明】
【技術分野】
【０００１】
本発明は、ヘッダー配管接続構造およびヘッダー配管接続方法に関する。
【背景技術】
【０００２】
近年、集合住宅等における給水給湯配管システムとして、住戸ごとにヘッダーを設けたヘッダー工法、またはさや管ヘッダー工法が多用されている。ヘッダー工法は、給水主管や給湯主管をそれぞれヘッダーに接続するとともに、ヘッダーから分岐させた枝管を各水回り設備の水栓へ、一対一で接続するヘッダー工法である。また、これらの主管および枝管は、あらかじめ建物の床下や壁内に敷設した可撓性を有するさや管に通して配管される。この工法によれば、接続箇所はヘッダー部分および水栓部分だけとなるので、漏水率を抑えることができるとともに、水回り設備の同時使用における流量変化が少なく、安定した給水又は給湯が可能となる。また、さや管をあらかじめ敷設しているので施工が容易であり、配管の更新にあたっても、配管が収められた床や壁を解体することなく容易に交換することができるといった利点もある。
【０００３】
かかるヘッダー工法については、従来から様々な提案がなされており、例えば特許文献１には住宅における給水・給湯配管システムについて記載されている。この種のヘッダー配管に使用される管材は、主に架橋ポリエチレンまたはポリブデンを材料とする管材であり、製品としては５０ｍ程度の長さの巻物で現場に搬入され、施工現場にて必要長さにカットして施工に用いられるのが一般的である。
【０００４】
また、このようなヘッダー工法におけるヘッダー、またはキッチンや洗面、洗濯、風呂等の水まわり設備と配管との接続部には各種の継手が使用される。例えば、特許文献２に記載されているような管継手が最も多く使用されている。この種の管継手は、被接続用のパイプの端部に挿入される挿入筒部を有する継手本体と、挿入筒部に外嵌されたパイプの外周面に抜け止め状態に内周側が掛止する抜け止めリングとを備え、抜け止めリングの内周側に複数の歯部が切り込み形成された構成となっている。このような継手は、現場で所定の長さにカットしたパイプを継手本体に差し込むだけで接続作業ができ、いわゆるワンタッチ継手と呼ばれている。
【特許文献１】特開２００１−６５００８号公報
【特許文献２】特開２００２−３１２８２号公報
【発明の開示】
【発明が解決しようとする課題】
【０００５】
しかし、前記従来例のような管継手を用いた接続作業では、施工現場における樹脂管と、樹脂管の両端部に接続される継手部材等との接続において、樹脂管の斜め切れやバリの発生など、樹脂管の切り口の状況や、接続時の斜め挿入、挿入不足など、接続工程における様々な作業内容によって、施工不良が発生し易く、作業者の熟練度によっては漏水事故の原因となるおそれがあって信頼性を維持することが困難であった。
【０００６】
そこで本発明は、上記のような問題点にかんがみてなされたものであり、作業者の熟練度によることなく、施工現場における樹脂管とヘッダーとの接続、および水まわり設備機器への接続作業を、信頼性の高い簡易な接続作業のみで完了できるようにして、樹脂管の接続部における高い水密性を確保し、漏水等のおそれがなく、高い品質を確保した配管を可能にするヘッダー配管接続構造およびヘッダー配管接続方法を提供するものである。
【課題を解決するための手段】
【０００７】
上記した目的を達成するため、本発明は、ヘッダーに設けられた継手接続用の受口と、水まわり設備機器の配管接続口とを、継手部材を結合させた樹脂管により接続するヘッダー配管接続構造であって、ヘッダーの受口および設備機器の配管接続口には、水密的に結合可能でありかつ雌雄一対となる構造を備えた接続部材の一方が装着され、所定長さの樹脂管の両端部には、あらかじめ、継手部材が水密的に装着されるとともに、各継手部材には前記接続部材の他方がそれぞれ水密的に結合されてあり、接続部材の一方を備えたヘッダーの受口および設備機器の配管接続口に、接続部材の他方を備えた樹脂管の両端部がそれぞれ接続されることによって、互いに水密的に接続可能となっていることを特徴とする。
【０００８】
また、前記接続部材は、一方が外周面に環状のフランジを有する嵌合凹部とされ、他方が外周面に環状のフランジを有して前記嵌合凹部に嵌挿される嵌合凸部とされており、この嵌合凸部の外周面には、シール溝が形成されるとともに、このシール溝にＯリングが装着されて、嵌合凹部と嵌合凸部との間を水密的に封止可能に形成され、嵌合凹部に嵌合凸部を嵌挿してフランジ同士を突き合わせ、これらのフランジに金属板ばね材を屈曲させて形成されたクリップ部材を嵌着させて両者が一体に結合可能となされたことを特徴とする。
【０００９】
また、前記継手部材は、樹脂管端部に装着されて、締付手段によって樹脂管端部に一体に緊結される継手本体を有し、この継手本体は樹脂管の内周面に密接状態で嵌挿される円筒状のインコアを備え、このインコアと樹脂管端部とが前記締付手段によって結合されることを特徴とする。
【００１０】
ここで、前記継手部材の締付手段は、カシメ止めであることが好ましい。
【００１１】
また、前記継手部材の締付手段は、継手本体の外周面に形成された雄ねじ部と、樹脂管端部に外装された袋ナットとの螺合によるものであってもよい。
【００１２】
また、前記継手部材の締付手段は、微少寸法だけ拡径させるとともにインコアが嵌挿された樹脂管端部の外周面に圧入密着される円筒状のスライドスリーブの圧締によるものであってもよい。
【００１３】
また、本発明は、ヘッダーに設けられた継手接続用の受口と、水まわり設備機器の配管接続口とを、継手部材を結合させた樹脂管を用いて接続するヘッダー配管接続方法であって、ヘッダーの受口および設備機器の配管接続口には、前記継手部材に対して水密的に結合可能でありかつ雌雄一対となる構造を備えた接続部材の一方を装着し、所定の配管長さを有する樹脂管の両端部に、あらかじめ、継手部材を水密的に装着するとともに、接続部材の他方を各継手部材に水密的に結合して施工現場に搬入し、接続部材の一方を備えたヘッダーの受口および設備機器の配管接続口に、接続部材の他方を備えた樹脂管の両端部をそれぞれ接続することにより、互いに水密的に接続することを特徴とする。
【００１４】
このような発明により、ヘッダー配管の施工現場における樹脂管と継手部材等との接続作業が不要になるので、樹脂管の配管作業が格段に容易になり、作業工程を短縮化することができる。また、接続された樹脂管は高い水密性を有することが確認可能であるので、水密性の試験を実施しておくことで配管の信頼性を高めることができ、高い品質を確保することも可能となる。
【発明の効果】
【００１５】
本発明により、施工現場における樹脂管と樹脂管接続部を有する継手部材との接続作業がなくなり、信頼性の高い簡易な接続作業のみで配管施工が可能となる。したがって、樹脂管の接続部における高い水密性を容易に確保することができ、漏水等のおそれがなく、高い品質を確保した配管が可能となる。
【００１６】
また、樹脂管は継手部材および接続部材の一方を両端部に接続した状態で搬入されるので、施工現場への搬入前に水密性の確認試験を実施することが可能であり、施工現場にて実施する水圧試験に比べ、不具合の検出精度に優れる。これにより、精度の高い水密性の試験を実施することも可能であり、配管としてより高い品質を確保することが可能である。
【発明を実施するための最良の形態】
【００１７】
以下、本発明に係るヘッダー配管接続構造およびヘッダー配管接続方法を実施するための最良の形態について、図面を参照しつつ説明する。
【００１８】
図１〜図１６は本発明の一例を示し、図１は樹脂管の端部を示す斜視図であり、図２〜４は接続部材の例を示す斜視図、図５〜図１６は継手部材の例を示す斜視図である。
【００１９】
本発明のヘッダー配管接続構造は、住宅等の床下配管に備えられているヘッダーの継手接続用の受口と、居室内の水まわり設備機器の配管接続口とを、図１に示すように、継手部材３を結合させた樹脂管１を用いて接続するものである。
【００２０】
ヘッダーの受口側と、設備機器の配管接続口側には、それぞれ、水密的に結合可能でありかつ雌雄一対となる構造を備えた接続部材２の一方が装着される。
【００２１】
ここで、接続部材２は、いわゆるファスナー式接続による接続部材であり、図２に例示するように、互いに嵌め合い形状をなす嵌合凹部２１と嵌合凸部２２とを備えている。一方の嵌合凹部２１は、外周面の先端に環状のフランジ２１１が突設されている。他方の嵌合凸部２２は、先端部が嵌合凹部２１に嵌挿しうるように形成されるとともに、外周面にシール溝を有して、このシール溝にＯリング２２１が装着されている。嵌合凸部２２の基部側は嵌合凹部２１のフランジ２１１と同様の環状のフランジ２２２が突設されている。
【００２２】
これにより、嵌合凹部２１と嵌合凸部２２と嵌合させると、嵌合凹部２１の内周面と嵌合凸部２２の外周面との間が密着されて水密的に封止可能となっている。また、図３および図４に示すように、嵌合凹部２１と嵌合凸部２２とを嵌合させると、フランジ２１１，２２２が突き合わさるので、これらのフランジ２１１，２２２に金属板ばね材を屈曲させて形成されたクリップ部材２３を嵌着させて両者を一体に結合することができる。
【００２３】
かかる接続部材２の他方、嵌合凸部２２は、樹脂管１の両端部にそれぞれ接続される。樹脂管１は、可撓性を有する管材が好ましく、ヘッダー配管に必要な所定の長さにあらかじめ切断されて、その両端部に継手部材３が水密的に装着されている。
【００２４】
図５に例示する継手部材３は、樹脂管１の端部に一体に緊結される継手本体３１を備えている。この継手本体３１は、樹脂管１の内周面に密接状態で嵌挿される円筒状のインコア３２を備えている。そして、樹脂管１の端部を継手本体３１に嵌挿してインコア３２に外装し、インコア３２と樹脂管１の端部とがカシメ止め３１１によって結合されている。そして、この継手部材３の継手本体３１に接続部材２の嵌合凸部２２が接続されている。
【００２５】
このような樹脂管１は、配管施工において、あらかじめ、継手部材３および接続部材２の一方を水密的に装着させた状態のものを施工現場に搬入する。すなわち、樹脂管１の両端部に継手部材３等を接続する作業は、樹脂管１の製造段階で実施される。
【００２６】
このため、樹脂管１における継手部材３等の接続作業を終えた後工程にて、継手部材３等を接続した部分の水密性の確認試験を実施することが可能となっている。これは、施工現場において通常実施される水密性の確認試験（水圧試験）に比べ、不具合の検出精度が格段に高まり、大規模な設備での水中試験を行うことも可能となる。
【００２７】
したがって、樹脂管１の端部に接続した継手部材３等の接続状態を、高い精度で水密性の確認をすることが可能になり、そのような試験を経てヘッダー配管に用いられるので、高い水密性と信頼性を確保することができる。
【００２８】
樹脂管１の両端部の接続構造は、上記のほか、図８に示すような構造であってもよい。この形態では、樹脂管１の両端部にあらかじめ装着される継手部材３が、継手本体３１とスリーブ３３とを備える。図９〜図１１に示すように、継手本体３１のインコア３２が嵌挿される樹脂管１の端部は、内径がインコア３２の外周面よりも微少寸法大きくなるように、また外径が樹脂管１よりも大きくなるように適宜の拡径手段を用いて拡径して形成されている。
【００２９】
樹脂管１には円筒状のスリーブ３３が挿装されている。そして、樹脂管１の端部を継手本体３１に嵌挿してインコア３２に外装し、スリーブ３３を樹脂管１の先端方向にスライドさせて拡径した樹脂管１の端部の外周面に圧入密着させる。このスリーブ３２の圧締により、樹脂管１の内周面とインコア３２、および樹脂管１の外周面とスリーブ３３の内周面とが水密的に密着し、高い水密性が確保されるようになっている。
【００３０】
また、樹脂管１の両端部に接続される継手部材３は、図１２〜図１６に示す袋ナット３４を用いたものであってもよい。この継手部材３は、インコア３２を備えた継手本体３１の外周面に雄ねじ部３５が形成されている。樹脂管１には、雄ねじ部３５に螺合しうる環状の袋ナット３４、および外周面が先端方向にテーパー状に縮径されたリング部材３６が挿装される。
【００３１】
かかる継手部材３と樹脂管１との接続は、図１３に示すように、樹脂管１をインコア３２に嵌挿し、リング部材３６を樹脂管１の外周面に沿って、先端方向にスライドさせて継手本体３１に寄せる。そして、図１４に示すように、リング部材３６を継手本体３１の雄ねじ部３５の内側に嵌入させて固定し、さらに袋ナット３４を樹脂管１の外周面に沿って、先端方向にスライドさせる。続いて、図１５に示すように、袋ナット３４を雄ねじ部３５に螺合させて締め付ける。この袋ナット３４の螺合によって、樹脂管１の内周面とインコア３２、および樹脂管１の外周面とリング部材３６の内周面が水密的に密着し、高い水密性を確保できるようになっている。
【００３２】
なお、継手部材３は上記３つの構成を有するもののほか、樹脂管１との接続が容易で高い水密性を確保できる構造のものであれば、どのような部材を用いてもよい。また、接続部材２についても、互いに嵌め合わされる雌雄一対となる構造を備えて水密的に結合可能なものであれば、上記例示したもののほか、どのような部材を用いてもよい。
【００３３】
以上のようなヘッダー配管接続構造およびヘッダー配管接続方法により、ヘッダー配管の施工現場における樹脂管１と継手部材３等との接続作業が不要であるので、樹脂管１の配管作業が格段に容易になり、作業工程を短縮化することができる。また、接続された樹脂管１は高い水密性を有することが確認されているので、配管の信頼性を高めることができ、高い品質を確保することが可能となる。
【産業上の利用可能性】
【００３４】
本発明は、ヘッダー配管工法における給水、給湯等のための配管路を、樹脂管を用いて作業性よく、かつ信頼性高く形成するのに好適に利用することができる。
【図面の簡単な説明】
【００３５】
【図１】本発明における樹脂管の端部を示す斜視図である。
【図２】本発明における接続部材の一例を示す斜視図である。
【図３】前記接続部材の接続工程を示す斜視図である。
【図４】前記接続部材の接続状態を示す斜視図である。
【図５】本発明における継手部材の一例を示す斜視図である。
【図６】前記継手部材の接続工程を示す斜視図である。
【図７】前記継手部材の接続状態を示す斜視図である。
【図８】本発明における樹脂管端部の他の例を示す斜視図である。
【図９】本発明における継手部材の他の例を示す斜視図である。
【図１０】前記継手部材の接続工程を示す斜視図である。
【図１１】前記継手部材の接続状態を示す斜視図である。
【図１２】本発明における継手部材の他の例を示す斜視図である。
【図１３】前記継手部材の接続工程を示す斜視図である。
【図１４】前記継手部材の接続工程を示す斜視図である。
【図１５】前記継手部材の接続工程を示す斜視図である。
【図１６】前記継手部材の接続状態を示す斜視図である。
【符号の説明】
【００３６】
１      樹脂管
２      接続部材
２１    嵌合凹部
２１１  フランジ
２２    嵌合凸部
２２１  Ｏリング
２２２  フランジ
２３    クリップ部材
３      継手部材
３１    継手本体
３２    インコア
３３    スリーブ（スライドスリーブ）
３４    袋ナット
３５    雄ねじ部
３６    リング部材
【図１】
2007270875.tif 000003
【図２】
2007270875.tif 000004
【図３】
2007270875.tif 000005
【図４】
2007270875.tif 000006
【図５】
2007270875.tif 000007
【図６】
2007270875.tif 000008
【図７】
2007270875.tif 000009
【図８】
2007270875.tif 000010
【図９】
2007270875.tif 000011
【図１０】
2007270875.tif 000012
【図１１】
2007270875.tif 000013
【図１２】
2007270875.tif 000014
【図１３】
2007270875.tif 000015
【図１４】
2007270875.tif 000016
【図１５】
2007270875.tif 000017
【図１６】
2007270875.tif 000018